(57)【要約】【課題】ばねの力を強く設定する必要なく、ローディング完了位置に保持されているカードを円滑に排出させることができるカード接続装置の提供。【解決手段】カード１を排出させる移動部材８と、ラック１１と、移動部材８とラック１１とを連結するばね１２と、ラック１１を移動させるギヤ機構１３と、このギヤ機構１３を駆動するモータ１４と、カード１の接続端子３に接触可能な端子部材７とを備えるとともに、ばね１２を介することなくカード１を排出方向へ押し出すラチェット１８を含む押し出し手段を備えた。【選択図】　　　図１
2004047366.tif 000002
【特許請求の範囲】
【請求項１】
カード挿抜方向に移動可能で、カードを排出させる移動部材と、この移動部材を移動させるラックと、一端がこのラックに連結され、他端が上記移動部材に連結されるばねと、上記ラックを移動させるギヤ機構と、このギヤ機構を駆動するモータと、上記カードの接続端子に接触可能な端子部材とを備えるとともに、
上記ばねを介することなく上記カードを排出方向へ押し出す押し出し手段を備えたことを特徴とするカード接続装置。
【請求項２】
上記請求項１記載の発明において、
上記押し出し手段が、上記移動部材に設けられ、上記カードの排出時に上記ラックに係合可能なラチェットを含むことを特徴とするカード接続装置。
【請求項３】
上記請求項２記載の発明において、
上記押し出し手段が、上記ラチェットを上記移動部材に回動可能に支持させる支持手段と、上記カードの収容部を覆うカバーに設けられ、上記ラチェットを回動させるカムと、上記ラチェットを上記カバー方向に付勢するばねとを含むことを特徴とするカード接続装置。
【請求項４】
上記請求項３記載の発明において、
上記カードの挿抜方向に沿う上記カムの長さ寸法を、移動部材が、ローディング完了位置から上記カードの接続端子と上記端子部材との接触が解かれる位置まで移動する距離に相当する寸法以上の大きさに設定したことを特徴とするカード接続装置。
【請求項５】
上記請求項１記載の発明において、
上記押し出し手段が、上記移動部材に設けられ、上記ギヤ機構と噛み合い可能な欠歯から成ることを特徴とするカード接続装置。
【請求項６】
上記請求項５記載の発明において、
上記カードの挿抜方向に沿う上記欠歯の長さ寸法を、移動部材が、ローディング完了位置から上記カードの接続端子と上記端子部材との接触が解かれる位置まで移動する距離に相当する寸法以上の大きさに設定したことを特徴とするカード接続装置。
【請求項７】
上記請求項１記載の発明において、
上記押し出し手段が、上記ラックがローディング開始位置とローディング完了位置との間で移動する動作に伴って移動するピンと、上記移動部材に設けられ、上記カードの排出時に上記ピンが係合可能な係合部とを含むことを特徴とするカード接続装置。
【請求項８】
上記請求項７記載の発明において、
上記押し出し手段が、上記ラックに設けられ、上記カードの挿抜方向とほぼ直交する方向に延設される長穴と、上記カードの収容部を覆うカバーに設けたカム溝とを含み、上記ピンを上記長穴と上記カム溝とに挿通させたことを特徴とするカード接続装置。
【請求項９】
上記請求項８記載の発明において、
上記カム溝が、ローディング開始時に上記ピンが位置し、上記カードの挿抜方向に沿うように形成される第１直線部と、ローディング完了時に上記ピンが位置し、上記カードの挿抜方向に沿うように上記第１直線部とは異なる経路上に形成される第２直線部と、これらの第１直線部と第２直線部を連結する斜行部とを有するとともに、
上記第２直線部の長さ寸法を、移動部材が、ローディング完了位置から上記カードの接続端子と上記端子部材との接触が解かれる位置まで移動する距離に相当する寸法以上の大きさに設定したことを特徴とするカード接続装置。
【発明の詳細な説明】
【０００１】
【発明の属する技術分野】
本発明は、情報記憶カードの接続端子に接触可能な端子部材を有するとともに、カードを挿抜方向に移動させるローディング機構を備えたカード接続装置に関する。
【０００２】
【従来の技術】
この種のカード接続装置として、従来、カードの側縁部に形成された凹部にローディング機構に含まれる移動部材の係合爪を係合させて、カードをローディング完了位置まで移動させ、あるいはローディング完了位置から排出方向に移動させるようにしたものがある。
【０００３】
ローディング機構はモータによって駆動される。すなわち、このローディング機構は、モータによって駆動されるギヤ機構と、このギヤ機構によって移動するラックと、カードの挿抜方向に移動可能で、カードを排出させる上述した移動部材と、一端がラックに連結され、他端が移動部材に連結されるばねとを含んでいる。
【０００４】
カードの挿入時には、カードの挿入に伴う移動部材の移動が検出されてモータが駆動する。このモータの駆動によりギヤ機構が回転し、これによりラックが直線動し、ラックに連結されたばねを介して移動部材が自動的に移動する。この間、移動部材の係合爪がカードの凹部に係合し、カードと移動部材とが一体的にローディング完了位置まで移動する。このローディング完了位置においてカードの接続端子が端子部材に接触する。この状態においてカードに対する信号の送受信が可能となる。
【０００５】
カードの排出時には、イジェクト操作によりモータが駆動し、これに伴ってギヤ機構が回転する。このギヤ機構の回転によりラックが直線動し、ラックに連結されたばねを介して移動部材がカードの挿入口の方向に移動する。この間、移動部材が所定のストロークまで移動したとき、カードの接続端子と端子部材との接触が解かれる。その後、引き続きラックの移動に伴い、ばねを介して移動部材が排出位置まで移動し、その移動途中において移動部材の係合爪がカードの凹部から離脱する。カードが排出位置に至ったとき、挿入口からのカードの取り出しが可能となる。
【０００６】
【発明が解決しようとする課題】
上述した従来技術にあって、カードがローディング完了位置に保持され、その接続端子と端子部材とが接触している状態では、カードの接続端子が端子部材によって圧接される形態となっている。したがって、そのときの接圧が高い場合には、カードの排出初期の移動負荷が大きくなり、カードを円滑に排出させることができなくなる。すなわち、排出初期にラックのみが移動することにより、一旦ばねが伸ばされる。その後、カードの接続端子が端子部材から離脱したとき、その伸ばされたばねの力で移動部材、すなわちこの移動部材に保持されたカードが挿入口方向に向って加速され、カードが挿入口から飛び出したり、衝突音が発生してしまう懸念がある。
【０００７】
なお、上述したカードの飛び出しや衝突音の発生は、移動部材とラックとを連結するばねの力を強くすることによって解決できる。しかし、このようにばねの力を強くしたときには、カード挿入時の挿入感触、すなわち挿入時のフィーリングが悪くなる別の問題を生じてしまう。
【０００８】
本発明は、上記した従来技術における実状からなされたもので、その目的は、移動部材とラックとを連結するばねの力を強く設定する必要なく、ローディング完了位置に保持されているカードを円滑に排出させることができるカード接続装置を提供することにある。
【０００９】
【課題を解決するための手段】
上記目的を達成するために、本発明は、カード挿抜方向に移動可能で、カードを排出させる移動部材と、この移動部材を移動させるラックと、一端がこのラックに連結され、他端が上記移動部材に連結されるばねと、上記ラックを移動させるギヤ機構と、このギヤ機構を駆動するモータと、上記カードの接続端子に接触可能な端子部材とを備えるとともに、上記ばねを介することなく上記カードを排出方向へ押し出す押し出し手段を備えたことを特徴としている。
【００１０】
このように構成した本発明は、排出時には押し出し手段によってカードを排出方向にばねを介することなく直接に押し出すことができ、したがって、ばね力を強く設定する必要なく、また、ばね力によるカードの加速を生じることなく、このカードを円滑に排出させることができる。
【００１１】
上記発明において、本発明は、上記押し出し手段が、上記移動部材に設けられ、上記カードの排出時に上記ラックに係合可能なラチェットを含むことを特徴としている。
【００１２】
このように構成した本発明は、カードの排出時には移動部材に設けられたラチェットがラックに係合し、したがって、ラックに伝えられた大きな移動力がラチェットを介して、ばねを介することなく移動部材に伝えられる。これによりカードの接続端子と端子部材との接圧が高い場合でも確実に移動部材を移動させることができる。
【００１３】
上記発明において、本発明は、上記押し出し手段が、上記ラチェットを上記移動部材に回動可能に支持させる支持手段と、上記カードの収容部を覆うカバーに設けられ、上記ラチェットを回動させるカムと、上記ラチェットを上記カバー方向に付勢するばねとを含むことを特徴としている。
【００１４】
このように構成した本発明は、カードがローディング完了位置に収容されているときには、ばねの力に抗してカムによって回動したラチェットが、ラックに係合可能な状態に確実に保持される。また、移動部材が、カードの接続端子と端子部材との接圧の影響を受けなくなる位置まで移動したときには、ばねの力によりラチェットが回動し、このラチェットがラックに係合しない状態にすることができる。
【００１５】
上記発明において、本発明は、上記カードの挿抜方向に沿う上記カムの長さ寸法を、移動部材が、ローディング完了位置から上記カードの接続端子と上記端子部材との接触が解かれる位置まで移動する距離に相当する寸法以上の大きさに設定したことを特徴としている。
【００１６】
このように構成した本発明は、カードの接続端子と端子部材との接圧の影響を受けなくなる位置まで、ラックとラチェットとを係合状態に保持させることができる。
【００１７】
上記発明において、本発明は、上記押し出し手段が、上記移動部材に設けられ、上記ギヤ機構と噛み合い可能な欠歯から成ることを特徴としている。
【００１８】
このように構成した本発明は、カードの排出時には移動部材に設けられた欠歯がギヤ機構に噛み合い、したがって、モータからギヤ機構に伝えられた大きな回転力が欠歯を介して大きな直線移動力として移動部材に伝えられる。これによりカードの接続端子と端子部材との接圧が高い場合でも確実に移動部材を移動させることができる。
【００１９】
上記発明において、本発明は、上記カードの挿抜方向に沿う上記欠歯の長さ寸法を、移動部材が、ローディング完了位置から上記カードの接続端子と上記端子部材との接触が解かれる位置まで移動する距離に相当する寸法以上の大きさに設定したことを特徴としている。
【００２０】
このように構成した本発明は、カードの接続端子と端子部材との接圧の影響を受けなくなる位置まで、移動部材の欠歯とギヤ機構との噛み合い状態を保持させることができる。
【００２１】
上記発明において、本発明は、上記押し出し手段が、上記ラックがローディング開始位置とローディング完了位置との間で移動する動作に伴って移動するピンと、上記移動部材に設けられ、上記カードの排出時に上記ピンが係合可能な係合部とを含むことを特徴としている。
【００２２】
このように構成した本発明は、カードの排出時には、ラックの移動に伴ってピンが移動部材の係合部に係合し、このピンを介してラックに伝えられた大きな移動力が移動部材に伝えられる。これにより、カードの接続端子と端子部材との接圧が高い場合でも確実に移動部材を移動させることができる。
【００２３】
上記発明において、本発明は、上記押し出し手段が、上記ラックに設けられ、上記カードの挿抜方向とほぼ直交する方向に延設される長穴と、上記カードの収容部を覆うカバーに設けたカム溝とを含み、上記ピンを上記長穴と上記カム溝とに挿通させたことを特徴としている。
【００２４】
このように構成した本発明は、長穴内及びカム溝内を移動するピンと、移動部材の係合部との係合を介してカード排出時に確実に移動部材を移動させることができる。
【００２５】
上記発明において、本発明は、上記カム溝が、ローディング開始時に上記ピンが位置し、上記カードの挿抜方向に沿うように形成される第１直線部と、ローディング完了時に上記ピンが位置し、上記カードの挿抜方向に沿うように上記第１直線部とは異なる経路上に形成される第２直線部と、これらの第１直線部と第２直線部を連結する斜行部とを有するとともに、上記第２直線部の長さ寸法を、移動部材が、ローディング完了位置から上記カードの接続端子と上記端子部材との接触が解かれる位置まで移動する距離に相当する寸法以上の大きさに設定したことを特徴としている。
【００２６】
このように構成した本発明は、カードの接続端子と端子部材との接圧の影響を受けなくなる位置まで、ピンと移動部材の係合部とが係合する状態を保持させることができる。
【００２７】
【発明の実施の形態】
以下、本発明に係るカード接続装置の実施形態を図に基づいて説明する。
【００２８】
図１〜４は本発明の第１実施形態の説明図である。図１はカード挿入時の状態を示す図で、（ａ）図は平面図、（ｂ）図は（ａ）図のＡ１−Ａ１断面図である。図２はローディング開始時の状態を示す図で、（ａ）図は平面図、（ｂ）図は（ａ）図のＡ２−Ａ２断面図である。図３はローディング完了時の状態を示す図で、（ａ）図は平面図、（ｂ）図は（ａ）図のＡ３−Ａ３断面図である。図４はカード排出途中の状態を示す図で、（ａ）図は平面図、（ｂ）図は（ａ）図のＡ４−Ａ４断面図である。
【００２９】
これらの図１〜４に示すように、情報記憶機能を有するカード１は、側縁部に凹部２を備え、先端部９に接続端子３を備えている。
【００３０】
このカード１が挿抜される第１実施形態は、本体を形成するシャーシ４にカード１が収容される収容部を有し、この収容部を覆うカバー５を備えている。このカバー５の前側位置にカード１が挿入される挿入口６を形成してある。シャーシ４の奥側位置に、カード１の接続端子３が接触可能な端子部材７を設けてある。
【００３１】
カバー５の上側には、カード１の挿抜方向に移動可能で、カード１を排出させる移動部材８を配置してある。この移動部材８は、図示しないがカード１の凹部２に係合離脱可能な係合爪を備えている。また、図１の（ｂ）図に示すように、移動部材８はカード１の先端部９が当接可能な突起１０を備えている。
【００３２】
移動部材８の上側には、この移動部材８を移動させるラック１１を配置してある。このラック１１と移動部材８との間には、一端がラック１１に連結され、他端が移動部材８に連結されるばね１２を備えている。このばね１２は、ラック１１の直線動に伴う移動部材８の移動を可能にしている。
【００３３】
また、ラック１１を移動させるギヤ機構１３と、このギヤ機構１３を駆動するモータ１４とを備えている。さらに、排出位置にある移動部材８が図１の（ｂ）図に示す寸法Ｂよりもわずかに小さい距離だけ押し込まれたとき、その移動部材８の係合によって作動し、モータ１４を駆動させるローディング開始信号を出力するローディングスイッチ１５を備えている。また、カード１が、その接続端子３が端子部材７に接触するローディング完了位置に至ったとき、移動部材８の係合によって作動し、モータ１４を停止させるローディング完了信号を出力するローディング完了スイッチ１６も備えている。
【００３４】
そして、この第１実施形態は特に、ばね１２を介することなくカード１を排出方向へ押し出す押し出し手段、すなわちローディング完了位置にあるカード１を挿入口６の方向へ押し出す押し出し手段を備えている。
【００３５】
この押し出し手段は、例えば移動部材８に設けられ、カード１の排出時にラック１１の前端部に係合可能なラチェット１８と、このラチェット１８を移動部材８に回動可能に支持させる支持手段、例えば軸８ａとを含んでいる。さらに、カバー５に設けられ、ラチェット１８を回動させるカム１７と、ラチェット１８をカバー５方向に付勢するばね１９とを含んでいる。
【００３６】
上述したカム１７のカード１の挿抜方向に沿う長さ寸法は、例えば移動部材８が、ローディング完了位置からカード１の接続端子３と端子部材７との接触が解かれる位置まで移動する距離に相当する寸法以上の大きさに設定してある。
【００３７】
このように構成した第１実施形態における動作を以下に説明する。
【００３８】
［カード１の挿入・ローディング開始］
カード１が挿入される以前にあっては、図１の（ｂ）図に示すように、ばね１９の力によりラチェット１８は、その先端がカバー５に当接するように付勢された状態に保持されている。このような状態において、図１に示すように、カード１が挿入口６から挿入され、奥側に押し込まれると、カード１の先端部９が移動部材８の突起１０に係合し、カード１の押し込み動作と一体的に移動部材８がばね１２の力に抗して移動する。すなわち、カード１の挿入時のフィーリングは、このときのばね１２の力に応じたものとなる。
【００３９】
移動部材８が図１の（ｂ）図の寸法Ｂにほぼ相当する距離だけ移動したとき、この移動部材８がローディング開始スイッチ１５に係合し、このローディング開始スイッチ１５が作動する。なおこの間、移動部材８に備えられる図示しない係合爪がカード１の凹部２に係合し、この係合爪を介してカード１は移動部材８と一体的に移動可能に保持される。
【００４０】
上述したローディング開始スイッチ１５の作動により、モータ１４が駆動し、これに伴ってギヤ機構１３が回転し、これによりラック１１が装置の奥側に向って直線動を始める。すなわち、図２に示すように、ローディングが開始される。
【００４１】
ラック１１の移動により、ばね１２を介して移動部材８が同方向に、すなわち奥側に向って自動的に移動し、この移動部材８の移動と一体的にカード１がカバー５の下側の収容部に向って移動する。
【００４２】
［ローディング動作・ローディング完了］
上述のように、ラック１１が移動し、移動部材８が奥側に向かって移動し、カード１の接続端子３が奥側位置に配置されている端子部材７に接近する状態に至ると、ラチェット１８がカム１７に係合し、すなわちばね１９の力に抗してこのラチェット１８が上向きに回動し始める。
【００４３】
移動部材８がローディング完了スイッチ１６に係合し、このローディング完了スイッチ１６が作動すると、モータ１４が停止する。このモータ１４の停止によりギヤ機構１３が停止し、ラック１１が停止し、ばね１２を介して移動部材８が停止する。これにより、カード１は図３に示すようにローディング完了位置に保持される。この状態においては、同図３の（ｂ）図に示すように、ラチェット１８がカム１７上に位置し、その先端がわずかな隙間を介してラック１１の前端部に対向する。また、カード１の接続端子３が端子部材７に接触した状態となる。すなわち、カード１の接続端子３と端子部材７との間に接圧が形成される。この状態においてカード１に対する信号の送受信が可能となる。
【００４４】
［カード１の排出動作］
上述のように、カード１がローディング完了位置に保持されている状態から、図示しないイジェクト操作がなされると、モータ１４が上述とは反転して駆動される。これによりギヤ機構１３が反転駆動し、ラック１１が挿入口６方向に向って移動を開始する。このとき、図３の（ｂ）図に示すように、ラチェット１８の先端がカム１７上に位置し、ラック１１の前端部に対向しているので、ラック１１がラチェット１８に係合し、このラチェット１８を挿入口６方向に押し出す。すなわち、このラチェット１８を介して、ラチェット１８が固定されている移動部材８が、挿入口６方向にラック１１の移動と一体的に移動する。この移動部材８によりカード１は挿入口６方向へ、つまり排出方向へ移動を開始する。
【００４５】
引き続きラック１１が移動し、ラチェット１８を介して移動部材８が移動すると、図４の（ｂ）図に示すように、カード１の接続端子３と端子部材７との接触が解かれる。このとき同図４の（ｂ）図に示すように、ラチェット１８は、まだカム１７上に位置する状態に保たれている。
【００４６】
この状態からさらにラック１１が移動すると、ラチェット１８とカム１７との係合が解かれ、ばね１９の力によりラチェット１８が同図４の（ｂ）図において下向きに回動する。これにより、ラチェット１８とラック１１との係合が解かれ、その後移動部材８は、ばね１２を介してラック１１の移動に伴って移動する。移動部材８がローディング開始スイッチ１５から離れるまで移動すると、ローディング開始スイッチ１５が作動し、これによりモータ１４が停止する。このモータ１４の停止によりギヤ機構１３が停止し、ラック１１が停止する。これに伴いばね１２を介して移動部材８が停止する。この移動部材８の停止により、前述した図１に示す状態となり、カード１は排出位置に至る。すなわち、カード１の排出が完了する。この状態になると、挿入口６からのカード１の取り出しが可能となる。
【００４７】
このように構成した第１実施形態によれば、カード１の排出時には移動部材８に設けられたラチェット１８がラック１１に係合する。したがって、ラック１１に伝えられた大きな移動力がラチェット１１を介して、ばね１２を介することなく移動部材８に伝えられる。これによりカード１の接続端子３と端子部材７との接圧が高い場合でも、ばね１２の力を強く設定する必要なく、また、ばね力によるカード１の加速を生じることなく、確実に移動部材８を移動させることができる。これに伴い移動部材８に保持されたカード１を円滑に排出させることができ、この排出時におけるカード１の飛び出し、及び衝突音の発生を防止することができる。
【００４８】
なお、ばね１２の力は、カード１の接続端子３と端子部材７との接圧を考慮に入れずに設定できるので、弱い力とすることができる。これにより、カード１の挿入時に良好なフィーリングが得られる。
【００４９】
また、カード１を排出方向へ押し出す押し出し手段を、ラチェット１８と、軸８ａと、カム１７と、ばね１９を含む構成にしてあることから、この押し出し手段の構成が簡単であり、製作費を安くすることができる。
【００５０】
また、上述のようにカム１７の長さ寸法を設定してあることから、カード１の接続端子３と端子部材７との接圧の影響を受けなくなる位置まで、ラック１１とラチェット１８との係合状態を保持させることができ、カード１の排出時における移動部材８の急激な速度変化を生じることがない。これにより、安定したカード１の排出動作を実現できる。
【００５１】
図５〜９は本発明の第２実施形態の説明図である。図５はカード挿入時の状態を示す図で、（ａ）図は平面図、（ｂ）図は（ａ）図のＡ５−Ａ５断面図である。図６はローディング開始時の状態を示す図で、（ａ）図は平面図、（ｂ）図は（ａ）図のＡ６−Ａ６断面図である。図７はローディング完了時の状態を示す図で、（ａ）図は平面図、（ｂ）図は（ａ）図のＡ７−Ａ７断面図である。図８はカード排出途中の状態を示す図で、（ａ）図は平面図、（ｂ）図は（ａ）図のＡ８−Ａ８断面図である。図９は、この第２実施形態に備えられる移動部材を示す平面図である。
【００５２】
この第２実施形態は、ばね１２を介することなくカード１を排出方向へ押し出す押し出し手段を、図９等に示すように、移動部材８に設けられ、ギヤ機構１３と噛み合い可能な欠歯２１によって構成してある。この欠歯２１のピッチは、例えばラック１１のピッチと同等に設定してある。
【００５３】
カード１の挿抜方向に沿う上述の欠歯２１の長さ寸法は、移動部材８が、ローディング完了位置からカード１の接続端子３と端子部材７との接触が解かれる位置まで移動する距離に相当する寸法以上の大きさに設定してある。
【００５４】
その他の構成は、前述した図１〜４に示す第１実施形態から押し出し手段を構成するラチェット１８、カム１７等を除いた構成と同等である。
【００５５】
この第２実施形態の動作は、欠歯２１に係る動作を除けば、基本的に第１実施形態と同等である。
【００５６】
［カード１の挿入・ローディング開始］
図５に示すように、カード１が挿入口６から挿入され、奥側に押し込まれると、前述したようにカード１の押し込み動作と一体的に移動部材８が移動し、ローディング開始スイッチ１５が作動する。この間、移動部材８の図示しない係合爪はカード１の凹部２に係合する。
【００５７】
ローディング開始スイッチ１５が作動すると、図６に示すように、モータ１４が駆動し、ギヤ機構１３が回転し、ラック１１が装置の奥側に直線動を始めるローディングが開始される。
【００５８】
［ローディング動作・ローディング完了］
ラック１１の移動に伴って、カード１の接続端子３が奥側位置に配置されている端子部材７に接近すると、移動部材８の欠歯２１がギヤ機構１３に係合し始める。その後は、ギヤ機構１３の回転力がラック１１と移動部材８とに伝えられ、これらのラック１１と移動部材８が奥側に移動する。
【００５９】
移動部材８がローディング完了スイッチ１６に係合すると、モータ１４が停止し、ギヤ機構１３が停止し、ラック１１及び移動部材８が停止する。これにより、カード１は図７に示すようにローディング完了位置に保持される。
【００６０】
［カード１の排出動作］
上述のように、カード１がローディング完了位置に保持されている状態から、イジェクト操作がなされ、モータ１４が反転駆動すると、これに伴ってギヤ機構１３が反転駆動する。これにより、ギヤ機構１３に噛み合っているラック１１と移動部材８が同時に挿入口６方向に向って移動を開始する。この移動部材８によりカード１は挿入口６方向へ、つまり排出方向へ移動を開始する。
【００６１】
引き続きラック１１及び移動部材８が移動すると、図８の（ｂ）図に示すように、カード１の接続端子３と端子部材７との接触が解かれる。このとき、移動部材８の欠歯２１は、まだギヤ機構１３と噛み合う状態に保たれている。
【００６２】
この状態からさらに、ラック１１及び移動部材８が移動すると、移動部材８とギヤ機構１３との噛み合いが解かれ、その後、移動部材８はばね１２を介してラック１１の移動に伴って移動する。
【００６３】
移動部材８がローディング開始スイッチ１５から離れるまで移動すると、モータ１４が停止し、ギヤ機構１３が停止し、ラック１１が停止する。これに伴い、ばね１２を介して移動部材８が停止する。これにより、カード１は前述した図５に示す排出位置に至り、排出動作が完了する。
【００６４】
このように構成した第２実施形態によれば、カード１の排出時には移動部材８に設けられた欠歯２１がギヤ機構１３に噛み合う状態に保たれている。したがって、ギヤ機構１３を介して、大きな移動力がばね１２を介することなく移動部材８に伝えられる。これにより前述した第１実施形態と同様に、カード１の接続端子３と端子部材７との接圧が高い場合でも、ばね１２の力を強く設定する必要なく、確実に移動部材８を移動させることができる。これに伴い、移動部材８に保持されたカード１を円滑に排出させることができ、カード１の飛び出し、および衝突音の発生を防止できる。
【００６５】
また、ばね１２の力を弱い力とすることができ、カード１の挿入時に良好なフィーリングが得られる。
【００６６】
また、カード１を排出方向へ押し出す押し出し手段を、移動部材８に設けられる欠歯２１によって構成してあることから、この押し出し手段の構成が簡単であり、製作費を安くすることができる。
【００６７】
さらに、上述のように欠歯２１の長さ寸法を設定してあることから、カード１の接続端子３と端子部材７との接圧の影響を受けなくなる位置まで、欠歯２１とギヤ機構１３との係合状態を保持させることができ、カード１の排出時における移動部材８の急激な速度変化を生じることがない。これにより、安定したカード１の排出動作を実現できる。
【００６８】
図１０〜１２は本発明の第３実施形態の説明図である。図１０はローディング開始時の状態を示す図で、（ａ）図は平面図、（ｂ）図は（ａ）図のＢ１方向から見た図である。図１１はローディング完了時の状態を示す図で、（ａ）図は平面図、（ｂ）図は（ａ）図のＢ２方向から見た図である。図１２は図１１のＣ部拡大図である。
【００６９】
この第３実施形態は、押し出し手段が、図１０，１１等に示すように、ラック１１がローディング開始位置とローディング完了位置との間で移動する動作に伴って移動するピン２３と、移動部材８に設けられ、カード１の排出時にピン２３が係合可能な係合部２８とを含んでいる。さらに、ラック１１に設けられ、カード１の挿抜方向とほぼ直交する方向に延設される長穴２２と、カード１の収容部を覆うカバー５に設けたカム溝２４とを含んでいる。上述のピン２３は、長穴２２とカム溝２４とに挿通させてある。
【００７０】
上述のカム溝２４は、図１０に示すように、ローディング開始時にピン２３が位置し、カード１の挿抜方向に沿うように形成される第１直線部２５を有する。また、図１１に示すようにローディング完了時にピン２３が位置し、カード１の挿抜方向に沿うように第１直線部２５とは異なる経路上に形成される第２直線部２６を有する。さらに、第１直線部２５と第２直線部２６を連絡する斜行部２７を有する。
【００７１】
上述した第２直線部２６の長さ寸法は、移動部材８が、ローディング完了位置からカード１の接続端子３と端子部材７との接触が解かれる位置まで移動する距離に相当する寸法以上の大きさに設定してある。
【００７２】
その他の構成は、前述した図１〜４に示す第１実施形態から押し出し手段を構成するラチェット１８、カム１７等を除いた構成と同等である。
【００７３】
この第３実施形態の動作も、長穴２２とカム溝２４とに挿通されるピン２３と、移動部材８に設けた係合部２８に係る動作を除けば、基本的に第１実施形態と同等である。
【００７４】
［カード１の挿入・ローディング開始・ローディング動作］
カード１が挿入口１０から挿入され、奥側に押し込まれると、図１０に示すように、ローディング開始スイッチ１５が作動し、ラック１１が装置の奥側に直線動を始めるローディングが開始される。
【００７５】
ラック１１の移動に伴って、このラック１１に形成した長穴２２の縁部に押されてピン２３がカム溝２４の第１直線部２２内を奥側に向って移動する。
【００７６】
引き続きラック１１が移動し、カード１の接続端子３が端子部材７に接近すると、ピン２３がカム溝２４の斜行部２７内に入るとともに、長穴２２内を図１０の（ａ）図における上方向へ移動する。さらに、ピン２３はカム溝２４の第２直線部２６内に入るとともに、長穴２２内を図１０の（ａ）図における上方向へ引き続き移動する。
【００７７】
［ローディング完了］
移動部材８がローディング完了スイッチ１６に係合すると、モータ１４が停止し、ギヤ機構１３が停止し、ラック１１および移動部材８が停止する。これによりカード１は図１１の（ａ）図に示すようにローディング完了位置に保持される。
【００７８】
この状態においては、図１２に示すように、ピン２３はカム溝２４の第２直線部２６内に位置し、移動部材８の係合部２８がピン２３に対向した、あるいは当接した状態に保たれる。
【００７９】
［カード１の排出動作］
上述のように、カード１がローディング完了位置に保持されている状態から、イジェクト操作がなされ、モータ１４が反転駆動すると、これに伴ってギヤ機構１３が反転駆動する。これにより、ギヤ機構１３に噛み合っているラック１１が移動し、このラック１１に形成された長穴２２の縁部に押されてピン２３がカム溝２４の第２直線部２６内を挿入口６の方向へ向かって移動を開始する。このとき、ピン２３が移動部材８の係合部２８に係合することから、ピン２３の移動に連動して移動部材８が挿入口６方向へ向かって移動を開始する。この移動部材８によりカード１は挿入口６方向へ、つまり排出方向へ移動を開始する。
【００８０】
引き続きラック１１が移動し、ピン２３を介して移動部材８が移動すると、前述したように移動部材８に保持されているカード１の接続端子３と端子部材７との接触が解かれる。このときピン２３は、まだカム溝２４の第２直線部２６内にある。その後ピン２３はカム溝２４の斜行部２７内から第１直線部２５内へと移行する。これに伴い、ピン２３はラック１１の長穴２２内を図１１において下方向へ移動する。
【００８１】
ピン２３がカム溝２４の第２直線部２６内へと移行した際には、ピン２３と移動部材８の係合部２８との係合が解かれ、その後、移動部材８はばね１２を介してラック１１の移動に伴って移動する。
【００８２】
移動部材８がローディング開始スイッチ１５から離れるまで移動すると、モータ１４が停止し、ギヤ機構１３が停止し、ラック１１が停止する。これに伴い、ばね１２を介して移動部材８が停止する。これにより、カード１は排出位置に至り、排出動作が完了する。
【００８３】
このように構成した第３実施形態によれば、カード１の排出時には、ラック１１の長穴２３の縁部によって押されるピン２３が、移動部材８の係合部２８に係合する状態に保たれている。したがって、ラック１１に伝えられた大きな移動力がばね１２を介することなく、ピン２３を介して移動部材８に伝えられる。これにより前述した第１実施形態と同様に、カード１の接続端子３と端子部材７との接圧が高い場合でも、ばね１２の力を強く設定する必要なく、確実に移動部材８を移動させることができる。これに伴い、移動部材８に保持されたカード１を円滑に排出させることができ、カード１の飛び出し、及び衝突音の発生を防止できる。
【００８４】
また、ばね１２の力を弱い力とすることができ、カード１の挿入時に良好なフィーリングが得られる。
【００８５】
また、カード１を排出方向へ押し出す押し出し手段を、ピン２３と、移動部材８に設けた係合部２８と、ラック１１に設けた長穴２２と、カバー５に設けたカム溝２４とによって構成してあることから、この押し出し手段の構成が簡単であり、製作費を安くすることができる。
【００８６】
さらに、上述のようにカム溝２４の第２直線部２６の長さ寸法を設定してあることから、カード１の接続端子３と端子部材７との接圧の影響を受けなくなる位置まで、ピン２３と移動部材８の係合部２８との係合状態を保持させることができ、カード１の排出時の移動部材８の急激な速度変化を生じることがない。これにより安定したカード１の排出動作を実現できる。
【００８７】
【発明の効果】
以上述べたように本発明は、ばねを介することなくカードを排出方向へ押し出す押し出し手段を備えた構成にしてあることから、移動部材をラックに連結するばねの力を強く設定する必要なく、ローディング完了位置に保持されているカードを円滑に排出させることができる。したがって、従来生じる懸念のあった排出時のカードの飛び出し、及び衝突音の発生を防止することができる。また、上述のばねの力を弱く設定することが可能になり、このように弱く設定した場合には、カード挿入時に良好なフィーリングを確保することができる。
【００８８】
また本発明は、上記押し出し手段が、移動部材に設けられ、カードの排出時にラックに係合可能なラチェットを含んでいる。さらに、上記ラチェットを移動部材に回動可能に支持させる支持手段と、カードの収容部を覆うカバーに設けられ、ラチェットを回動させるカムと、ラチェットをカバー方向に付勢するばねとを含む構成にしてある。これにより、押し出し手段の構成が簡単になり、製作費を安くすることができる。
【００８９】
また、本発明は、上記カードの挿抜方向に沿うカムの長さ寸法を、移動部材が、ローディング完了位置からカードの接続端子と端子部材との接触が解かれる位置まで移動する距離に相当する寸法以上の大きさに設定してある。これにより、カードの接続端子と端子部材との接圧の影響を受けなくなる位置まで、ラックとラチェットとの係合状態を保持させることができ、カード排出時における移動部材の急激な速度変化を生じることがない。したがって、安定したカードの排出動作を実現できる。
【００９０】
また本発明は、上記押し出し手段が、上記移動部材に設けられ、上記ギヤ機構と噛み合い可能な欠歯から成る構成にしてある。これにより、押し出し手段の構成が簡単になり、製作費を安くすることができる。
【００９１】
また本発明は、カードの挿抜方向に沿う欠歯の長さ寸法を、移動部材が、ローディング完了位置からカードの接続端子と端子部材との接触が解かれる位置まで移動する距離に相当する寸法以上の大きさに設定してある。これにより、カードの接続端子と端子部材との接圧の影響を受けなくなる位置まで、欠歯とギヤ機構との噛み合い状態を保持させることができ、カード排出時の移動部材の急激な速度変化を生じることがない。したがって、安定したカードの排出動作を実現できる。
【００９２】
また本発明は、上記押し出し手段が、上記ラックがローディング開始位置とローディング完了位置との間で移動する動作に伴って移動するピンと、上記移動部材に設けられ、上記カードの排出時に上記ピンが係合可能な係合部とを含んでいる。さらに、ラックに設けられ、上記カードの挿抜方向とほぼ直交する方向に延設される長穴と、上記カードの収容部を覆うカバーに設けたカム溝とを含み、上記ピンを上記長穴と上記カム溝とに挿通させた構成にしてある。これにより、押し出し手段の構成が簡単になり、製作費を安くすることができる。
【００９３】
また本発明は、カム溝が、ローディング開始時に上記ピンが位置し、上記カードの挿抜方向に沿うように形成される第１直線部を有している。また、ローディング完了時に上記ピンが位置し、上記カードの挿抜方向に沿うように上記第１直線部とは異なる経路上に形成される第２直線部と、これらの第１直線部と第２直線部とを連結する斜行部とを有している。さらに、上記第２直線部の長さ寸法を、移動部材が、ローディング完了位置から上記カードの接続端子と上記端子部材との接触が解かれる位置まで移動する距離に相当する寸法以上の大きさに設定してある。これにより、カードの接続端子と端子部材との接圧の影響を受けなくなる位置まで、ピンと移動部材の係合部との係合状態を保持させることができ、カード排出時における移動部材の急激な速度変化を生じることがない。したがって、安定したカードの排出動作を実現できる。
【図面の簡単な説明】
【図１】本発明のカード接続装置の第１実施形態におけるカード挿入時の状態を示す図で、（ａ）図は平面図、（ｂ）図は（ａ）図のＡ１−Ａ１断面図である。
【図２】本発明の第１実施形態におけるローディング開始時の状態を示す図で、（ａ）図は平面図、（ｂ）図は（ａ）図のＡ２−Ａ２断面図である。
【図３】本発明の第１実施形態におけるローディング完了時の状態を示す図で、（ａ）図は平面図、（ｂ）図は（ａ）図のＡ３−Ａ３断面図である。
【図４】本発明の第１実施形態におけるカード排出途中の状態を示す図で、（ａ）図は平面図、（ｂ）図は（ａ）図のＡ４−Ａ４断面図である。
【図５】本発明の第２実施形態におけるカード挿入時の状態を示す図で、（ａ）図は平面図、（ｂ）図は（ａ）図のＡ５−Ａ５断面図である。
【図６】本発明の第２実施形態におけるローディング開始時の状態を示す図で、（ａ）図は平面図、（ｂ）図は（ａ）図のＡ６−Ａ６断面図である。
【図７】本発明の第２実施形態におけるローディング完了時の状態を示す図で、（ａ）図は平面図、（ｂ）図は（ａ）図のＡ７−Ａ７断面図である。
【図８】本発明の第２実施形態におけるカード排出途中の状態を示す図で、（ａ）図は平面図、（ｂ）図は（ａ）図のＡ８−Ａ８断面図である。
【図９】本発明の第２実施形態に備えられる移動部材を示す平面図である。
【図１０】本発明の第３実施形態におけるローディング開始時の状態を示す図で、（ａ）図は平面図、（ｂ）図は（ａ）図のＢ１方向から見た図である。
【図１１】本発明の第３実施形態におけるローディング完了時の状態を示す図で、（ａ）図は平面図、（ｂ）図は（ａ）図のＢ２方向から見た図である。
【図１２】図１１のＣ部拡大図である。
【符号の説明】
１　　カード
２　　凹部
３　　接続端子
４　　シャーシ
５　　カバー
６　　挿入口
７　　端子部材
８　　移動部材
８ａ　軸（支持手段）
９　　先端部
１０　突起
１１　ラック
１２　ばね
１３　ギヤ機構
１４　モータ
１５　ローディング開始スイッチ
１６　ローディング完了スイッチ
１７　カム（押し出し手段）
１８　ラチェット（押し出し手段）
１９　ばね（押し出し手段）
２０　先端部
２１　欠歯（押し出し手段）
２２　長穴
２３　ピン（押し出し手段）
２４　カム溝
２５　第１直線部
２６　第２直線部
２７　斜行部
２８　係合部（押し出し手段）
【図１】
2004047366.tif 000003
【図２】
2004047366.tif 000004
【図３】
2004047366.tif 000005
【図４】
2004047366.tif 000006
【図５】
2004047366.tif 000007
【図６】
2004047366.tif 000008
【図７】
2004047366.tif 000009
【図８】
2004047366.tif 000010
【図９】
2004047366.tif 000011
【図１０】
2004047366.tif 000012
【図１１】
2004047366.tif 000013
【図１２】
2004047366.tif 000014